(57)【要約】【課題】面倒な接続作業なしで携帯型再生装置に記録された音声圧縮ファイルをテレビで音声再生することができ、利便性が高い送受信システムを提供する。【解決手段】携帯型再生装置において、フラッシュメモリに記録された音声圧縮ファイルが伸長されデジタル音声信号が生成され、該デジタル音声信号がデジタル変調され変調信号が生成され、該変調信号が赤外線信号に変換され放射され、該赤外線信号をテレビ１２が有する赤外受光部２６が受光して変調信号に変換し、該変調信号を復調部２７がデジタル復調してデジタル音声信号を生成し、該デジタル音声信号がＤ／Ａコンバータ３２によりアナログ音声信号とされ、該アナログ音声信号が音声増幅部３４で増幅されスピーカ３５に入力され、スピーカ３５から音声が再生される。【選択図】図３
2007214723.tif 000002
【特許請求の範囲】
【請求項１】
記録媒体に記録された音声圧縮ファイルを伸長してデジタル音声信号を生成する伸長手段と、該伸長手段が生成したデジタル音声信号をデジタル変調して変調信号を生成する変調手段と、該変調手段が生成した変調信号を無線信号に変換して出力する送信手段と、を備える携帯型再生装置と、
前記無線信号を受信して変調信号に変換する受信手段と、該受信手段が変換した変調信号をデジタル復調してデジタル音声信号を生成する復調手段と、該復調手段が生成したデジタル音声信号に基づき音声を発する音声発生手段と、を備えるテレビと、
とからなる送受信システムであって、
前記テレビは、表示信号生成手段と、表示手段と、をさらに備え、
前記変調手段は、前記記録媒体に記録された前記音声圧縮ファイルのファイル名を表す前記記録媒体に記録されたファイル名情報をデジタル変調して変調信号を生成し、該変調信号を前記送信手段が無線信号に変換して出力し、該無線信号を前記受信手段が受信して変調信号に変換し、該変調信号を前記復調手段がデジタル復調してファイル名情報を生成し、該ファイル名情報に基づき前記表示信号生成手段が表示信号を生成し、該表示信号に基づき前記表示手段が前記ファイル名を表示する、
ことを特徴とする送受信システム。
【請求項２】
記録媒体に記録された音声圧縮ファイルを伸長してデジタル音声信号を生成する伸長手段と、該伸長手段が生成したデジタル音声信号をデジタル変調して変調信号を生成する変調手段と、該変調手段が生成した変調信号を無線信号に変換して出力する送信手段と、を備える携帯型再生装置から前記無線信号を受信して変調信号に変換する受信手段と、
該受信手段が変換した変調信号をデジタル復調してデジタル音声信号を生成する復調手段と、
該復調手段が生成したデジタル音声信号に基づき音声を発する音声発生手段と、
を備えることを特徴とするテレビ。
【請求項３】
記録媒体に記録された音声圧縮ファイルを伸長してデジタル音声信号を生成する伸長手段と、該伸長手段が生成したデジタル音声信号をデジタル変調して変調信号を生成する変調手段と、該変調手段が生成した変調信号を無線信号に変換して出力する送信手段と、を備える携帯型再生装置と、
前記無線信号を受信して変調信号に変換する受信手段と、該受信手段が変換した変調信号をデジタル復調してデジタル音声信号を生成する復調手段と、該復調手段が生成したデジタル音声信号に基づき音声を発する音声発生手段と、を備えるテレビと、
からなることを特徴とする送受信システム。
【請求項４】
第一の記録媒体に記録された音声圧縮ファイルをデジタル変調して変調信号を生成する変調手段と、該変調手段が生成した変調信号を無線信号に変換して出力する送信手段と、を備える携帯型再生装置から前記無線信号を受信して変調信号に変換する受信手段と、
該受信手段が変換した変調信号をデジタル復調して音声圧縮ファイルを生成する復調手段と、
該復調手段が生成した音声圧縮ファイルを第二の記録媒体に記録させる記録手段と、
前記第二の記録媒体に記録された音声圧縮ファイルを伸長しデジタル音声信号を生成する伸長手段と、
該伸長手段が生成したデジタル音声信号に基づき音声を発する音声発生手段と、
を備えることを特徴とするテレビ。
【請求項５】
第一の記録媒体に記録された音声圧縮ファイルをデジタル変調して変調信号を生成する変調手段と、該変調手段が生成した変調信号を無線信号に変換して出力する送信手段と、を備える携帯型再生装置と、
前記無線信号を受信して変調信号に変換する受信手段と、該受信手段が変換した変調信号をデジタル復調して音声圧縮ファイルを生成する復調手段と、該復調手段が生成した音声圧縮ファイルを第二の記録媒体に記録させる記録手段と、前記第二の記録媒体に記録された音声圧縮ファイルを伸長しデジタル音声信号を生成する伸長手段と、該伸長手段が生成したデジタル音声信号に基づき音声を発する音声発生手段と、を備えるテレビと、
からなることを特徴とする送受信システム。
【発明の詳細な説明】
【技術分野】
【０００１】
本発明は、音声圧縮ファイルを再生できる携帯型再生装置とテレビとからなる送受信システムに関するものである。
【背景技術】
【０００２】
近年、ＭＰ３プレーヤ等の音声圧縮ファイルを再生できる携帯型再生装置が普及してきている。このような携帯型再生装置はヘッドホン端子を有し、携帯時はヘッドホン端子に接続されたヘッドホンから音声を再生してユーザは音声を鑑賞する。
【０００３】
ここで、携帯型再生装置に記録された音声圧縮ファイルをユーザが自宅において大音量で音声再生して鑑賞したい場合がある。テレビのスピーカで音声を鑑賞する場合、ユーザは携帯型再生装置のヘッドホン端子とテレビの音声入力端子とをケーブルで接続して、携帯型再生装置を再生する。すると、アナログ音声信号が携帯型再生装置からテレビへ送出され、テレビのスピーカから音声が再生され、ユーザは大音量で音声を鑑賞することができる。
【０００４】
また、特許文献１に開示された技術を用いると次のようなことも可能である。ユーザは、携帯型再生装置のヘッドホン端子に光送信装置を接続し、テレビの音声入力端子に光受信装置を接続し、携帯型再生装置を再生する。すると、携帯型再生装置からのアナログ音声信号は光送信装置で光信号に変換され制御卓に送出され、制御卓は受信した光信号に基づく光信号を受信装置に送出し、受信装置は受信した光信号をアナログ音声信号に変換しテレビに送出する。そして、テレビのスピーカから音声が再生され、ユーザは大音量で音声を鑑賞することができる。
【特許文献１】特許公報第３００８５４５号
【発明の開示】
【発明が解決しようとする課題】
【０００５】
しかし、上記の音声鑑賞方法では、ケーブルや光送信装置や光受信装置を携帯型再生装置やテレビに接続する作業が必要であり、ユーザにとって面倒であった。
【０００６】
上記問題点を鑑み、本発明は、面倒な接続作業なしで携帯型再生装置に記録された音声圧縮ファイルをテレビで音声再生することができ、利便性が高い送受信システムを提供することを目的とする。
【課題を解決するための手段】
【０００７】
上記目的を達成するために本発明の送受信システムは、記録媒体に記録された音声圧縮ファイルを伸長してデジタル音声信号を生成する伸長手段と、該伸長手段が生成したデジタル音声信号をデジタル変調して変調信号を生成する変調手段と、該変調手段が生成した変調信号を無線信号に変換して出力する送信手段と、を備える携帯型再生装置と、
前記無線信号を受信して変調信号に変換する受信手段と、該受信手段が変換した変調信号をデジタル復調してデジタル音声信号を生成する復調手段と、該復調手段が生成したデジタル音声信号に基づき音声を発する音声発生手段と、を備えるテレビと、
からなることを特徴としている。
【０００８】
このような構成によれば、ユーザは面倒な接続作業なしで携帯型再生装置に記録された音声圧縮ファイルをテレビで音声再生することができ、利便性が高い。
【０００９】
また、さらに本発明の送受信システムは、前記テレビは、表示信号生成手段と、表示手段と、をさらに備え、
前記変調手段は、前記記録媒体に記録された前記音声圧縮ファイルのファイル名を表す前記記録媒体に記録されたファイル名情報をデジタル変調して変調信号を生成し、該変調信号を前記送信手段が無線信号に変換して出力し、該無線信号を前記受信手段が受信して変調信号に変換し、該変調信号を前記復調手段がデジタル復調してファイル名情報を生成し、該ファイル名情報に基づき前記表示信号生成手段が表示信号を生成し、該表示信号に基づき前記表示手段が前記ファイル名を表示することを特徴としている。
【００１０】
このような構成によれば、ユーザは再生されている音声圧縮ファイルのファイル名をテレビで確認することができる。
【００１１】
また、本発明の送受信システムは、第一の記録媒体に記録された音声圧縮ファイルをデジタル変調して変調信号を生成する変調手段と、該変調手段が生成した変調信号を無線信号に変換して出力する送信手段と、を備える携帯型再生装置と、
前記無線信号を受信して変調信号に変換する受信手段と、該受信手段が変換した変調信号をデジタル復調して音声圧縮ファイルを生成する復調手段と、該復調手段が生成した音声圧縮ファイルを第二の記録媒体に記録させる記録手段と、前記第二の記録媒体に記録された音声圧縮ファイルを伸長しデジタル音声信号を生成する伸長手段と、該伸長手段が生成したデジタル音声信号に基づき音声を発する音声発生手段と、を備えるテレビと、
からなることを特徴としている。
【００１２】
このような構成によっても、ユーザは面倒な接続作業なしで携帯型再生装置に記録された音声圧縮ファイルをテレビで音声再生することができ、利便性が高い。また、テレビでのみ大音量で再生させたい音声圧縮ファイルはテレビに記録させた後、携帯型再生装置から消去できるので、携帯型再生装置の記録容量を節約できる。また、テレビに一度記録された音声圧縮ファイルは携帯型再生装置を用いずにテレビで何度も再生することができる。
【発明の効果】
【００１３】
本発明の送受信システムによれば、ユーザは面倒な接続作業なしで携帯型再生装置に記録された音声圧縮ファイルをテレビで音声再生することができ、利便性が高い。
【発明を実施するための最良の形態】
【００１４】
以下、本発明の実施形態について図面を参照しつつ説明する。
【００１５】
図１は、本発明に係る携帯型再生装置１の構成を示すブロック図である。ＵＳＢインターフェイス２は、不図示の外部ＰＣとＵＳＢケーブルで接続され外部ＰＣとデータ送受信を行う。操作部３は、ボタン等を有し、制御部５に操作信号を送出する。表示部４は、各種情報を液晶表示する。制御部５は、不図示のＲＯＭに記憶された制御プログラムを読み込み、各部を制御する。フラッシュメモリ６は、ＭＰ３等に準拠する音声圧縮ファイル等が記録保存される。データ伸長部７は、音声圧縮ファイルを伸長してデジタル音声信号を生成する。Ｄ／Ａコンバータ９は、データ伸長部７から受信するデジタル音声信号をアナログ音声信号に変換する。ヘッドホン端子１０は、不図示のヘッドホンが接続される。変調部８は、制御部５から受信するコード信号や音声圧縮ファイル等、また、データ伸長部７から受信するデジタル音声信号をデジタル変調（例えばＡＳＫ方式による）して変調信号を生成する。赤外ＬＥＤ１１は、変調部８から受信する変調信号を赤外線信号に変換して後述する本発明に係るテレビに送出する。
【００１６】
このような構成の携帯型再生装置１におけるヘッドホンからの再生について説明する。ここで、図２に携帯型再生装置１の外観図を示す。
【００１７】
フラッシュメモリ６には、予め外部ＰＣからＵＳＢインターフェイス２を介して音声圧縮ファイルおよび音声圧縮ファイルに対応してファイル名情報が記録されている。操作部３が有するリスト表示ボタン３ａが押されると、制御部５は操作信号を受信し、フラッシュメモリ６からファイル名情報を読み出し、ファイル名をリスト表示するよう表示部４に表示信号を送出する。そして、図２のように表示部４に、フラッシュメモリ６に記録されている音声圧縮ファイルのファイル名がリスト表示される。
【００１８】
ここで、操作部３が有する矢印ボタン３ｂが押されると、制御部５は、表示部４でファイル名が順に反転表示されるよう表示信号を表示部４に送出する。図２では、「ホテルカリフォルニア.ｍｐ３」が反転表示されている。表示部４で任意のファイル名が反転表示され選択された状態で、操作部３が有する再生ボタン３ｃが押されると、制御部５は、選択されたファイル名のファイル名情報に対応する音声圧縮ファイルをフラッシュメモリ６から読み出し、データ伸長部７に送出する。データ伸長部７は、音声圧縮ファイルを伸長しデジタル音声信号をＤ／Ａコンバータ９に送出し、Ｄ／Ａコンバータ９は、デジタル音声信号をアナログ音声信号に変換しヘッドホン端子１０に送出し、ヘッドホン端子１０に接続されたヘッドホンから音声が発せられ、ユーザは音声を鑑賞することができる。そして、操作部３が有する停止ボタン３ｄが押されると、制御部５は、フラッシュメモリ６から音声圧縮ファイルを読み出すのを停止し、音声再生が停止される。
【００１９】
また、図３は、本発明に係るテレビ１２の構成を示すブロック図である。
【００２０】
アンテナ１３は、放送電波信号を電気信号である放送信号に変換する。チューナ１４は、アンテナ１３から受信する放送信号から所定のチャンネルの信号を取り出し、中間周波信号に変換する。映像中間周波増幅部１５は、チューナ１４から受信する中間周波信号を増幅する。映像検波部１６は、映像中間周波増幅部１５で増幅された中間周波信号から映像中間周波信号を取り出し検波し、コンポジット信号を取り出す。スイッチ１７は、映像検波部１６から映像増幅部１８への信号経路と、コンポジット信号生成部２９から映像増幅部１８への信号経路とを切り換える。
【００２１】
映像増幅部１８は、映像検波部１６またはコンポジット信号生成部２９から受信するコンポジット信号を増幅する。同期偏向部１９は、映像増幅部１８から受信する増幅されたコンポジット信号から同期信号を取り出し、これに基づき水平偏向信号および垂直偏向信号を生成して偏向コイル２４に送出する。輝度信号生成部２０は、映像増幅部１８から受信する増幅されたコンポジット信号から輝度信号を取り出し、遅延および増幅させて原色出力部２２に送出する。色差信号生成部２１は、映像増幅部１８から受信する増幅されたコンポジット信号から色信号を取り出し、これに基づきＲＧＢに対応する色差信号を生成し原色出力部２２に送出する。原色出力部２２は、輝度信号および色差信号に基づきＲＧＢの三原色信号を生成する。
【００２２】
受像管２３は、内部に電子銃やシャドウマスクを有し、前面に蛍光体が塗られている。また、受像管２３の周りに偏向コイル２４が設けられる。そして、原色出力部２２からの三原色信号に基づき電子銃が電子ビームを射出し、この電子ビームを同期偏向部１９からの水平偏向信号および垂直偏向信号に基づき偏向コイル２４が偏向する。そして、偏向された電子ビームが蛍光体に衝突することにより、受像管２３の前面に画像が表示される。
【００２３】
また、音声信号生成部３１は、映像中間周波増幅部１５で増幅された中間周波信号から音声中間周波信号を取り出し検波し、音声信号を取り出す。スイッチ３３は、音声信号生成部３１から音声増幅部３４への信号経路と、Ｄ／Ａコンバータ３２から音声増幅部３４への信号経路とを切り換える。音声増幅部３４は、音声信号生成部３１またはＤ／Ａコンバータ３２から受信する音声信号を増幅する。スピーカ３５は、音声増幅部３４で増幅された音声信号に基づく音声を発する。
【００２４】
また、赤外受光部２６は、レンズや光電変換素子を有し、不図示のリモコンや前述した携帯型再生装置１から赤外線信号を受信し、変調信号に変換する。復調部２７は、赤外受光部２６から受信する変調信号をデジタル復調する。制御部２５は、不図示のＲＯＭに記憶された制御プログラムを読み込み、各部を制御する。フラッシュメモリ２８は、携帯型再生装置１から転送される音声圧縮ファイル等が記録保存される。コンポジット信号生成部２９は、後述するメニュー表示等をさせるためのコンポジット信号を生成する。データ伸長部３０は、音声圧縮ファイルを伸長してデジタル音声信号を生成する。Ｄ／Ａコンバータ３２は、デジタル音声信号をアナログ音声信号に変換する。
【００２５】
このような構成の本発明に係るテレビ１２における放送視聴時の動作について説明する。
【００２６】
不図示のリモコンが有するテレビモードボタンが押されると、該操作に対応するコード信号がデジタル変調され赤外線信号に変換され放射される。そして、テレビ１２が有する赤外受光部２６がリモコンから赤外線信号を受信すると変調信号に変換し復調部２７に送出し、復調部２７は、変調信号をデジタル復調してコード信号を制御部２５に送出する。制御部２５は、コード信号を受信すると、映像検波部１６から映像増幅部１８への信号経路がつながるようスイッチ１７に指示信号を送出し、映像検波部１６から映像増幅部１８への信号経路がつながるようスイッチ１７に指示信号を送出し、音声信号生成部３１から音声増幅部３４への信号経路がつながるようスイッチ３３に指示信号を送出し、各信号経路がつながる。すると、前述した信号の流れにより、チューナ１４で現在選局されている放送信号に対応する画像が受像管２３に表示され、音声がスピーカ３５から発せられ、ユーザは放送番組を視聴できる。
【００２７】
ここで、不図示のリモコンが有する各チャンネルボタンが押されると、該操作に対応するコード信号がデジタル変調され赤外線信号に変換され放射される。そして、テレビ１２が有する赤外受光部２６がリモコンから赤外線信号を受信すると変調信号に変換し復調部２７に送出し、復調部２７は、変調信号をデジタル復調してコード信号を制御部２５に送出する。制御部２５は、コード信号を受信すると、押されたチャンネルボタンのチャンネルの放送信号を選局するようチューナ１４に指示し、チューナ１４は選局する。すると、選局された放送信号に対応する画像が受像管２３に表示され、音声がスピーカ３５から発せられ、ユーザは所望のチャンネルの放送番組を視聴できる。
【００２８】
次に、本発明に係る携帯型再生装置１とテレビ１２とからなる送受信システムの動作について以下説明する。
【００２９】
携帯型再生装置１の操作部３が有するテレビメニュー表示ボタン３ｅ（図２）が押されると、制御部５は、操作部３から操作信号を受信し、対応するコード信号を変調部８に送出する。変調部８は、コード信号をデジタル変調し変調信号を赤外ＬＥＤ１１に送出し、赤外ＬＥＤ１１は変調信号を赤外線信号に変換し放射する。そして、テレビ１２が有する赤外受光部２６が携帯型再生装置１から受信する赤外線信号を変調信号に変換し復調部２７に送出し、復調部２７は、変調信号をデジタル復調しコード信号を制御部２５に送出する。
【００３０】
制御部２５は、復調部２７からコード信号を受信すると、コンポジット信号生成部２９から映像増幅部１８への信号経路がつながるようスイッチ１７に指示信号を送出し、Ｄ／Ａコンバータ３２から音声増幅部３４への信号経路がつながるようスイッチ３３に指示信号を送出し、各信号経路がつながる。そして、制御部２５は、コンポジット信号生成部２９にメニュー表示用のコンポジット信号を生成するよう指示し、コンポジット信号生成部２９はメニュー表示用のコンポジット信号を生成し、スイッチ１７に送出する。すると、このコンポジット信号に基づき受像管２３に、図４のようなメニューが表示される。
【００３１】
ここでは、「プレーヤから再生」「メモリから再生」「プレーヤからメモリにファイル転送」の３つの操作項目が表示される。ここで、携帯型再生装置１の操作部３が有する矢印ボタン３ｂが押されると、制御部５は対応するコード信号を変調部８に送出し、変調部８、赤外ＬＥＤ１１、赤外受光部２６、復調部２７を介してコード信号が制御部２５に送出される。そして、制御部２５は、コンポジット信号生成部２９に上記操作項目を順に反転表示させるためのコンポジット信号を生成するよう指示し、コンポジット信号生成部２９はコンポジット信号を生成し、スイッチ１７に送出する。すると、このコンポジット信号に基づき受像管２３において上記操作項目が順に反転表示される。図４では、「プレーヤから再生」が反転表示されている。
【００３２】
「プレーヤから再生」が反転表示された状態で、携帯型再生装置１の操作部３が有する再生ボタン３ｃ（ここでは決定ボタンとして使用している）が押されると、制御部５は対応するコード信号を変調部８に送出し、変調部８、赤外ＬＥＤ１１、赤外受光部２６、復調部２７を介してコード信号が制御部２５に送出され、制御部２５は待機状態となる。
【００３３】
そして、携帯型再生装置１の操作部３が有するリスト表示ボタン３ａが押されると、制御部５は操作信号を受けて、フラッシュメモリ６からファイル名情報を読み出し、ファイル名をリスト表示するよう表示部４に表示信号を送出する。そして、図２のように表示部４に、フラッシュメモリ６に記録されている音声圧縮ファイルのファイル名がリスト表示される。
【００３４】
ここで、操作部３が有する矢印ボタン３ｂが押されると、制御部５は、表示部４でファイル名が順に反転表示されるよう表示信号を表示部４に送出する。表示部４で任意のファイル名が反転表示され選択された状態で、操作部３が有する音声転送ボタン３ｆ（図２）が押されると、制御部５は、選択されたファイル名のファイル名情報をフラッシュメモリ６から読み出し変調部８に送出し、また、選択されたファイル名のファイル名情報に対応する音声圧縮ファイルをフラッシュメモリ６から読み出しデータ伸長部７に送出する。
【００３５】
変調部８は、制御部５から受信するファイル名情報をデジタル変調し、変調信号を赤外ＬＥＤ１１に送出し、赤外ＬＥＤ１１は変調信号を赤外線信号に変換し放射する。そして、テレビ１２が有する赤外受光部２６が携帯型再生装置１から受信する赤外線信号を変調信号に変換し復調部２７に送出し、復調部２７は、変調信号をデジタル復調しファイル名情報を制御部２５に送出する。そして、制御部２５は、ファイル名情報をコンポジット信号生成部２９に送出し、コンポジット信号生成部２９はファイル名を表示するためのコンポジット信号を生成してスイッチ１７に送出する。すると、このコンポジット信号に基づき受像管２３に、図５のようにファイル名が表示される。
【００３６】
また、携帯型再生装置１が有するデータ伸長部７は、制御部５から受信する音声圧縮ファイルを伸長してデジタル音声信号を変調部８に送出する。そして、変調部８は、データ伸長部７から受信するデジタル音声信号をデジタル変調し、変調信号を赤外ＬＥＤ１１に送出し、赤外ＬＥＤ１１は変調信号を赤外線信号に変換し放射する。そして、テレビ１２が有する赤外受光部２６が携帯型再生装置１から受信する赤外線信号を変調信号に変換し復調部２７に送出し、復調部２７は、変調信号をデジタル復調しデジタル音声信号を制御部２５に送出する。そして、制御部２５は、デジタル音声信号をＤ／Ａコンバータ３２に送出し、Ｄ／Ａコンバータ３２はデジタル音声信号をアナログ音声信号に変換してスイッチ３３を介して音声増幅部３４に送出する。そして、音声増幅部３４で増幅されたアナログ音声信号に基づきスピーカ３５から音声が発せられる。
【００３７】
これにより、ユーザは、携帯型再生装置に記録されている音声圧縮ファイルを、特別な接続作業をしないでテレビから音声再生することができる。また、ユーザは、再生されているファイル名をテレビ画面で確認することができる。
【００３８】
また、図４のようなメニュー表示において「プレーヤからメモリにファイル転送」が反転表示され選択された状態で、携帯型再生装置１の操作部３が有する再生ボタン３ｃ（ここでは決定ボタンとして使用している）が押されると、制御部５は対応するコード信号を変調部８に送出し、変調部８、赤外ＬＥＤ１１、赤外受光部２６、復調部２７を介してコード信号が制御部２５に送出され、制御部２５は待機状態となる。
【００３９】
そして、携帯型再生装置１の操作部３が有するリスト表示ボタン３ａが押されると、制御部５は操作信号を受けて、フラッシュメモリ６からファイル名情報を読み出し、ファイル名をリスト表示するよう表示部４に表示信号を送出する。そして、図２のように表示部４に、フラッシュメモリ６に記録されている音声圧縮ファイルのファイル名がリスト表示される。
【００４０】
ここで、操作部３が有する矢印ボタン３ｂが押されると、制御部５は、表示部４でファイル名が順に反転表示されるよう表示信号を表示部４に送出する。表示部４で任意のファイル名が反転表示され選択され、操作部３が有するファイル転送ボタン３ｇ（図２）が押されると、制御部５は、選択されたファイル名のファイル名情報およびそのファイル名情報に対応する音声圧縮ファイルをフラッシュメモリ６から読み出し変調部８に送出する。
【００４１】
変調部８は、制御部５から受信するファイル名情報および音声圧縮ファイルをデジタル変調し、変調信号を赤外ＬＥＤ１１に送出し、赤外ＬＥＤ１１は変調信号を赤外線信号に変換し放射する。そして、テレビ１２が有する赤外受光部２６が携帯型再生装置１から受信する赤外線信号を変調信号に変換し復調部２７に送出し、復調部２７は、変調信号をデジタル復調しファイル名情報および音声圧縮ファイルを制御部２５に送出する。そして、制御部２５は、ファイル名情報および音声圧縮ファイルを対応させてフラッシュメモリ２８に記録させる。
【００４２】
上記でフラッシュメモリ２８に記録された音声圧縮ファイルは次のようにして再生される。
【００４３】
図４のようなメニュー表示において「メモリから再生」が反転表示され選択された状態で、携帯型再生装置１の操作部３が有する再生ボタン３ｃ（ここでは決定ボタンとして使用している）が押されると、制御部５は対応するコード信号を変調部８に送出し、変調部８、赤外ＬＥＤ１１、赤外受光部２６、復調部２７を介してコード信号が制御部２５に送出される。すると、制御部２５は、フラッシュメモリ２８に記録されたファイル名情報を読み出しコンポジット信号生成部２９に送出する。コンポジット信号生成部２９は、ファイル名情報に基づきファイル名をリスト表示するためのコンポジット信号を生成しスイッチ１７に送出し、受像管２３には、図６のようにフラッシュメモリ２８に記録された音声圧縮ファイルのファイル名がリスト表示される。
【００４４】
ここで、携帯型再生装置１の操作部３が有する矢印ボタン３ｂが押されると、制御部５は対応するコード信号を変調部８に送出し、変調部８、赤外ＬＥＤ１１、赤外受光部２６、復調部２７を介してコード信号が制御部２５に送出される。そして、制御部２５は、コンポジット信号生成部２９にファイル名を順に反転表示させるためのコンポジット信号を生成するよう指示し、コンポジット信号生成部２９はコンポジット信号を生成し、スイッチ１７に送出する。すると、このコンポジット信号に基づき受像管２３においてファイル名が順に反転表示される。図６では、「ホテルカリフォルニア.ｍｐ３」が反転表示されている。
【００４５】
任意のファイル名が反転表示され選択された状態で、携帯型再生装置１の操作部３が有する再生ボタン３ｃ（ここでは決定ボタンとして使用している）が押されると、制御部５は対応するコード信号を変調部８に送出し、変調部８、赤外ＬＥＤ１１、赤外受光部２６、復調部２７を介してコード信号が制御部２５に送出される。すると、制御部２５は、選択されたファイル名のファイル情報に対応する音声圧縮ファイルをフラッシュメモリ２８から読み出しデータ伸長部３０に送出する。データ伸長部３０は、制御部２５から受信する音声圧縮ファイルを伸長しデジタル音声信号をＤ／Ａコンバータ３２に送出し、Ｄ／Ａコンバータ３２はデジタル音声信号をアナログ音声信号に変換してスイッチ３３を介して音声増幅部３４に送出する。そして、音声増幅部３４で増幅されたアナログ音声信号に基づきスピーカ３５から音声が発せられる。
【００４６】
これにより、ユーザは特別な接続作業なしで携帯型再生装置に記録された音声圧縮ファイルをテレビで音声再生することができる。また、テレビでのみ大音量で再生させたい音声圧縮ファイルはテレビに記録させた後、携帯型再生装置から消去できるので、携帯型再生装置の記録容量を節約できる。
【００４７】
なお、以上の実施形態では、図４のようなメニューを表示させる操作およびメニューを表示させた後の画面操作は携帯型再生装置が有するボタンによって行ったが、テレビのリモコンによって行ってもよい。
【００４８】
また、以上の実施形態では、データ送受信に赤外線を用いたが、電波（例えばＧＨｚ帯）等を用いてもよい。
【図面の簡単な説明】
【００４９】
【図１】は、本発明に係る携帯型再生装置のブロック図である。
【図２】は、本発明に係る携帯型再生装置の外観図である。
【図３】は、本発明に係るテレビのブロック図である。
【図４】は、テレビにおけるメニュー表示を示す図である。
【図５】は、再生されている音声圧縮ファイルのファイル名がテレビにおいて表示されている様子を示す図である。
【図６】は、テレビのフラッシュメモリに記録されている音声圧縮ファイルのファイル名がテレビにおいてリスト表示されている様子を示す図である。
【符号の説明】
【００５０】
１    携帯型再生装置
２    ＵＳＢインターフェイス
３    操作部
３ａ    リスト表示ボタン
３ｂ    矢印ボタン
３ｃ    再生ボタン
３ｄ    停止ボタン
３ｅ    テレビメニュー表示ボタン
３ｆ    音声転送ボタン
３ｇ    ファイル転送ボタン
４    表示部
５    制御部
６    フラッシュメモリ
７    データ伸長部
８    変調部
９    Ｄ／Ａコンバータ
１０    ヘッドホン端子
１１    赤外ＬＥＤ
１２    テレビ
１３    アンテナ
１４    チューナ
１５    映像中間周波増幅部
１６    映像検波部
１７    スイッチ
１８    映像増幅部
１９    同期偏向部
２０    輝度信号生成部
２１    色差信号生成部
２２    原色出力部
２３    受像管
２４    偏向コイル
２５    制御部
２６    赤外受光部
２７    復調部
２８    フラッシュメモリ
２９    コンポジット信号生成部
３０    データ伸長部
３１    音声信号生成部
３２    Ｄ／Ａコンバータ
３３    スイッチ
３４    音声増幅部
３５    スピーカ
【図１】
2007214723.tif 000003
【図２】
2007214723.tif 000004
【図３】
2007214723.tif 000005
【図４】
2007214723.tif 000006
【図５】
2007214723.tif 000007
【図６】
2007214723.tif 000008